(57)【要約】【課題】無線音声通信と無線データ通信とに対応した通信装置等を提供すること。【解決手段】通信システム５は、ＭＦＰネットワークＩＤがＭＦＰ１０に使用され、第１子機ネットワークＩＤが第１子機１に使用され、モバイル機器４、第１子機１の通信先がＭＦＰネットワークＩＤを使用する装置に設定されることで、第１子機１およびモバイル機器４とＭＦＰ１０との間で無線通信が行われる第１通信状態とされる。通信システム５は、第１子機ネットワークＩＤがＭＦＰ１０に使用され、ＭＦＰ１０ネットワークＩＤが第１子機１に使用されることで、第１子機１とモバイル機器４との間でデータ通信が行われる第２通信状態とされる。第１通信状態から第２通信状態への切り替えは、ＭＦＰ１０の無線通信制御回路１１への電源供給を停止することを条件として実行される。【選択図】図１
2011217064.tif 000002
【特許請求の範囲】
【請求項１】
通信回線に接続された通信装置と音声通話機器が無線通信可能に接続されている通信システムであって、
前記通信装置は、
外部装置および前記音声通話機器との間でのデータ通信および音声通信を行う無線通信部と、
ネットワーク上で前記通信装置を識別するための通信装置ネットワークＩＤと、ネットワーク上で前記音声通話機器を識別するための音声通話機器ネットワークＩＤとを記憶する通信装置記憶部と、を備え、
前記音声通話機器は、前記音声通話機器ネットワークＩＤおよび前記通信装置ネットワークＩＤを記憶する音声通話機器記憶部を備え、
前記通信システムは、前記通信装置ネットワークＩＤが前記通信装置に使用され、前記音声通話機器ネットワークＩＤが前記音声通話機器に使用され、前記外部装置および前記音声通話機器通信先が前記通信装置ネットワークＩＤを使用する装置に設定されることで、前記音声通話機器および前記外部装置と前記通信装置の前記無線通信部との間で前記データ通信および前記音声通信が行われる第１通信状態とされ、
前記通信システムは、前記音声通話機器ネットワークＩＤが前記通信装置に使用され、前記通信装置ネットワークＩＤが前記音声通話機器に使用されることで、前記音声通話機器と前記外部装置との間で前記データ通信が行われる第２通信状態とされ、
前記第１通信状態から前記第２通信状態への切り替えは、前記通信装置の前記無線通信部への電源供給を停止することを条件として実行されることを特徴とする通信システム。
【請求項２】
前記通信装置は、該通信装置を制御する通信装置制御部をさらに備え、
前記音声通話機器は、該音声通話機器を制御する音声通話機器制御部をさらに備え、
前記通信装置制御部は、電源停止指令を受け付けることに応じて、前記音声通話機器に対して通信状態変更指示を送信すると共に、前記音声通話機器ネットワークＩＤを前記通信装置記憶部から読み出して前記通信装置に使用し、
前記音声通話機器制御部は、前記通信状態変更指示を受信することに応じて、前記通信装置ネットワークＩＤを前記音声通話機器記憶部から読み出して前記音声通話機器に使用することを特徴とする請求項１に記載の通信システム。
【請求項３】
前記通信装置制御部は、前記無線通信部への電源供給を再開する旨の電源供給再開条件の成立を検出することに応じて、前記音声通話機器に対して通信状態復帰指示を送信すると共に、前記通信装置ネットワークＩＤを前記通信装置記憶部から読み出して前記通信装置に使用し、
前記音声通話機器制御部は、前記通信状態復帰指示を受信することに応じて、前記音声通話機器ネットワークＩＤを前記音声通話機器記憶部から読み出して前記音声通話機器に使用することを特徴とする請求項２に記載の通信システム。
【請求項４】
前記音声通話機器制御部は、
前記第２通信状態の期間において、前記外部装置から前記通信装置ネットワークＩＤで特定される装置へ対して送信された送信データを、前記音声通話機器で受信して前記音声通話機器記憶部に記憶させ、
前記通信状態復帰指示を受信することに応じて、前記音声通話機器記憶部に記憶していた送信データを前記通信装置へ送信することを特徴とする請求項３に記載の通信システム。
【請求項５】
前記通信装置制御部は、
前記第２通信状態の期間中において、予め定められた所定時間が経過することに応じて、前記通信装置の前記無線通信部への電源供給を再開し、
前記音声通話機器に対して前記送信データが前記音声通話機器記憶部に保持されているか否かを問い合わせ、
前記送信データが保持されている場合には、前記音声通話機器に対して通信状態復帰指示を送信すると共に、前記通信装置ネットワークＩＤを前記通信装置記憶部から読み出して前記通信装置に使用した上で、前記送信データを前記音声通話機器から受信することを特徴とする請求項４に記載の通信システム。
【請求項６】
前記電源供給再開条件は、前記通信装置に前記通信回線から着信があったこと、または、通信装置起動指令の入力が受け付けられたことによって成立することを特徴とする請求項３ないし５の何れか１項に記載の通信システム。
【請求項７】
前記通信装置制御部は、前記音声通話機器ネットワークＩＤを前記通信装置に使用した後に、前記通信装置ネットワークＩＤで特定される装置に対してテスト信号を送信し、
前記音声通話機器制御部は、前記テスト信号を受信しなかった場合には前記テスト信号を受信していない旨を前記通信装置へ報知すると共に、前記音声通話機器に前記音声通話機器ネットワークＩＤが使用される状態へ戻し、
前記通信装置制御部は、前記テスト信号を受信していない旨の報知を受けることに応じて、前記通信装置に前記通信装置ネットワークＩＤが使用される状態へ戻すことを特徴とする請求項２ないし６の何れか１項に記載の通信システム。
【請求項８】
通信回線に接続され、音声通話機器と無線通信可能に接続されている通信装置であって、
前記通信装置は、
外部装置および前記音声通話機器との間でのデータ通信および音声通信を行う無線通信部と、
ネットワーク上で前記通信装置を識別するための通信装置ネットワークＩＤと、ネットワーク上で前記音声通話機器を識別するための音声通話機器ネットワークＩＤとを記憶する通信装置記憶部と、
前記通信装置ネットワークＩＤと前記音声通話機器ネットワークＩＤとの一方を選択して前記通信装置のネットワークＩＤとして設定することが可能な通信装置制御部と、を備え、
前記通信装置制御部により、前記通信装置ネットワークＩＤが前記通信装置のネットワークＩＤとして設定されることで、前記音声通話機器および前記外部装置と前記無線通信部との間で前記データ通信および前記音声通信が行われる第１通信状態とされ、
前記通信装置制御部により前記音声通話機器ネットワークＩＤが前記通信装置のネットワークＩＤとして設定されると共に、前記無線通信部により前記通信装置ネットワークＩＤを前記音声通話機器のネットワークＩＤに設定する旨の命令が前記音声通話機器へ送信されることで、前記音声通話機器と前記外部装置との間で前記データ通信が行われる第２通信状態とされ、
前記通信装置制御部は、前記第１通信状態から前記第２通信状態への切り替えを、前記通信装置の前記無線通信部への電源供給が停止されることを条件として実行することを特徴とする通信装置。
【請求項９】
通信回線に接続された通信装置と無線通信可能な音声通話機器であって、
前記音声通話機器は、
ネットワーク上で前記通信装置を識別するための通信装置ネットワークＩＤと、ネットワーク上で前記音声通話機器を識別するための音声通話機器ネットワークＩＤとを記憶する音声通話機器記憶部と、
前記通信装置ネットワークＩＤと前記音声通話機器ネットワークＩＤとの一方を選択して前記音声通話機器のネットワークＩＤとして設定することが可能な音声通話機器制御部と、を備え、
前記音声通話機器制御部により前記音声通話機器ネットワークＩＤが前記音声通話機器のネットワークＩＤとして設定されることで、前記音声通話機器と前記無線通信部との間で前記音声通信が行われる第１通信状態とされ、
前記音声通話機器制御部により前記通信装置ネットワークＩＤが前記音声通話機器のネットワークＩＤとして設定されることで、前記音声通話機器と前記外部装置との間で前記データ通信が行われる第２通信状態とされ、
前記音声通話機器制御部は、前記第１通信状態から前記第２通信状態への切り替えを、前記通信装置の前記無線通信部への電源供給が停止された旨が前記通信装置から報知されることを条件として実行することを特徴とする音声通話機器。
【発明の詳細な説明】
【技術分野】
【０００１】
本願は、無線音声通信と無線データ通信とに対応した通信システム、通信装置および音声通話機器に関する。
【背景技術】
【０００２】
デジタルコードレス電話の親機と、ＷＬＡＮ（Wireless Local Area Network）とを搭載した通信装置が知られている。また、無線端末が、通信装置のＷＬＡＮを介してアクセスポイントと通信を行う構成が知られている。これにより、無線端末を外部のネットワークへ接続することができる。また、待機状態における消費電力を抑えるために、省電力モードやＯＦＦモードを備えた通信装置が知られている。
【先行技術文献】
【特許文献】
【０００３】
【特許文献１】特開２００３−２４９９７３号公報
【発明の概要】
【発明が解決しようとする課題】
【０００４】
無線端末が、通信装置のＷＬＡＮを介してアクセスポイントと通信を行う場合には、通信装置が省電力モードやＯＦＦモードにされても、無線端末とアクセスポイントとの通信状態を維持する必要がある。すると、通信装置のＷＬＡＮを制御している回路への電源供給を停止することができないため、通信装置の消費電力を十分に抑えることが困難である。本明細書では、このような不便性を解消することができる技術を提供する。
【課題を解決するための手段】
【０００５】
本願の通信システムは、通信回線に接続された通信装置と音声通話機器が無線通信可能に接続されている通信システムである。通信装置は、外部装置および音声通話機器との間でのデータ通信および音声通信を行う無線通信部と、ネットワーク上で通信装置を識別するための通信装置ネットワークＩＤと、ネットワーク上で音声通話機器を識別するための音声通話機器ネットワークＩＤとを記憶する通信装置記憶部と、を備える。音声通話機器は、音声通話機器ネットワークＩＤおよび通信装置ネットワークＩＤを記憶する音声通話機器記憶部を備える。通信システムは、通信装置ネットワークＩＤが通信装置に使用され、音声通話機器ネットワークＩＤが音声通話機器に使用され、外部装置および音声通話機器通信先が通信装置ネットワークＩＤを使用する装置に設定されることで、音声通話機器および外部装置と通信装置の無線通信部との間でデータ通信および音声通信が行われる第１通信状態とされる。また、通信システムは、音声通話機器ネットワークＩＤが通信装置に使用され、通信装置ネットワークＩＤが音声通話機器に使用されることで、音声通話機器と外部装置との間でデータ通信が行われる第２通信状態とされる。第１通信状態から第２通信状態への切り替えは、通信装置の無線通信部への電源供給を停止することを条件として実行されることを特徴とする。
【発明の効果】
【０００６】
通信装置の例としては、電話機能やＦＡＸ機能を備えた多機能機が挙げられる。音声通話機器は、音声信号の送受信を行う機器である。音声通話機器の例としては、無線電話子機が挙げられる。外部装置の一例としては、アクセスポイントや、パーソナルコンピュータ（ＰＣ）や、多機能機などが挙げられる。また、外部装置がアクセスポイントである場合には、さらにアクセスポイントを介して、他の無線端末と通信することが可能である。データ通信は、エラー時に再送されるデータ信号の通信であり、リアルタイム性が要求されない通信である。音声通信は、エラー時に再送されない音声信号の通信であり、リアルタイム性が必要な通信である。
【０００７】
通信装置ネットワークＩＤは、ネットワーク上で通信装置を識別するための情報である。また、音声通話機器ネットワークＩＤは、ネットワーク上で音声通話機器を識別するための情報である。通信装置ネットワークＩＤや音声通話機器ネットワークＩＤとの一例としては、ＭＡＣアドレスやＩＰアドレスが挙げられる。通信装置記憶部や音声通話機器記憶部には、音声通話機器ネットワークＩＤおよび通信装置ネットワークＩＤが記憶される。これらの情報を記憶するタイミングは、通信装置と音声通話機器がセットで工場出荷されるタイミングであってもよい。通信装置記憶部や音声通話機器記憶部の一例としては、ＥＥＰＲＯＭ（Electrically Erasable and Programmable ROM）が挙げられる。
【０００８】
通信システムは、第１通信状態と第２通信状態との間で切り替え可能とされる。第１通信状態は、ネットワークＩＤが正しい対応関係とされている状態である。すなわち、通信装置ネットワークＩＤが通信装置に使用されると共に、音声通話機器ネットワークＩＤが音声通話機器に使用される。よって、通信装置がネットワーク上において通信装置として認識されると共に、音声通話機器がネットワーク上において音声通話機器として認識される。
【０００９】
第１通信状態では、音声通話機器および外部装置と、通信装置の無線通信部との間で、データ通信および音声通信が行われる。すなわち、１の無線通信部によって、音声通話機器による音声通信と、外部装置によるデータ通信との２種類の通信を行うことが可能となる。また、音声通信とデータ通信とは、同時に使用可能される。同時に使用する方法の例としては、音声通信とデータ通信との間で、同一周波数の電波を短時間ずつ交代で共有する方法が挙げられる。無線通信部によって音声通信とデータ通信を行う方法としては、例えば、Intel（登録商標）が提唱する、My WiFi Technologyの機能を用いる方法が挙げられる。また、Wi-Fi Allianceが提唱する、Wi-Fi Directの機能を用いる方法が挙げられる。
【００１０】
第２通信状態は、ネットワークＩＤを入れ換えた状態である。すなわち、音声通話機器ネットワークＩＤが通信装置に使用されると共に、音声通話機器ネットワークＩＤが音声通話機器に使用される。よって、通信装置がネットワーク上において音声通話機器として認識されると共に、音声通話機器がネットワーク上において通信装置として認識される。
【００１１】
第１通信状態から第２通信状態へ切り替えられる場合を説明する。第２通信状態においても、外部装置は、通信装置ネットワークＩＤを使用する装置とのデータ通信を維持する。しかし、第２通信状態では、通信装置ネットワークＩＤを使用する装置は、通信装置ではなく、音声通話機器である。よって、外部装置のデータ通信先が、通信装置から音声通話機器へ切り替えられる。また、音声通話機器がアクセスポイントと通信可能な場合においては、外部装置は、音声通話機器およびアクセスポイントを介して外部のネットワークと通信することが可能となる。
【００１２】
本願の通信システムでは、通信装置の無線通信部への電源供給を停止することを条件として、第２通信状態へ移行する。無線通信部への電源供給が停止されると、外部装置および音声通話機器と無線通信部との間の通信を実行することができなくなる。また、無線通信部への電源供給の停止により、通信装置の消費電力をより小さくすることができる。なお、無線通信部への電源供給の停止は、例えば、ユーザが通信装置の電源スイッチをオフすることによって行われても良い。また例えば、通信装置で所定時間の間操作が実行されないことに応じて、電源供給を停止してもよい。
【００１３】
第２通信状態へ移行することにより、外部装置の通信先は、通信装置から音声通話機器へ切り替えられる。よって、通信装置の無線通信部への電源供給が停止されても、外部装置は音声通話機器との間で通信を続行することができる。そして、音声通話機器がアクセスポイントと通信可能な場合には、外部装置は、アクセスポイントを介した外部のネットワークとの通信を維持することができる。これにより、外部装置の通信状態を維持したまま、通信装置の無線通信部への電源供給を停止することができるため、通信装置の消費電力を十分に抑えることが可能となる。
【図面の簡単な説明】
【００１４】
【図１】通信システムの構成の一例を示す図である。
【図２】ＭＦＰで行われるモード移行動作のフローチャート（その１）である。
【図３】ＭＦＰで行われるモード移行動作のフローチャート（その２）である。
【図４】ＭＦＰで行われるデータ受信確認動作のフローチャートである。
【図５】子機で行われる通信状態切り替えのフローチャート（その１）である。
【図６】子機で行われる通信状態切り替えのフローチャート（その２）である。
【図７】第１通信状態の模式図である。
【図８】第２通信状態の模式図である。
【図９】通信システムの動作の具体例を説明するシーケンス図（その１）である。
【図１０】通信システムの動作の具体例を説明するシーケンス図（その２）である。
【発明を実施するための形態】
【００１５】
図１に、本願に係る第１実施形態として例示される通信システム５のブロック図を示す。通信システム５は、ＭＦＰ（Multi Function Printer）１０、アクセスポイント（以下「ＡＰ」と称す）５１、ＰＣ（Personal Computer）５２、第１子機１、モバイル機器４を備える。ＭＦＰ１０によってＷＰＡＮ（WirelessPersonal Area Network）２０１、ＷＬＡＮ（Wireless Local Area Network）２０２が形成されている。尚、ＷＰＡＮ２０１およびＷＬＡＮ２０２の方式の例としては、例えばＩＥＥＥ８０２．１１ａ／ｂ／ｇの規格で定められる通信方式が挙げられる。
【００１６】
ＡＰ５１は、ＷＬＡＮ２０２によりデータ信号の通信が可能に構成された、既知の中継装置である。データ信号は、通信エラー時に再送が行われる信号である。データ信号の例としては、ＭＦＰ１０で印刷を行なうための印刷データが挙げられる。またＡＰ５１は、ＰＣ５２との間でデータ信号の通信が可能とされている。よって、ＡＰ５１を介して、ＭＦＰ１０とＰＣ５２との間でデータ信号の通信が可能とされている。またＡＰ５１は、インターネット５３に接続されている。
【００１７】
第１子機１は、ＷＰＡＮ２０１により、音声信号の無線通信２１１を行う装置である。音声信号は、音声通話を行うための信号である。音声信号は、通信エラー時に再送が行われない信号であり、リアルタイム性が必要な信号である。
【００１８】
モバイル機器４は、ＷＰＡＮ２０１により、データ信号の無線通信２１３を行う既知の装置である。また、ＭＦＰ１０は、ルーティング装置（通信システム５内で情報送信経路を選択するための装置）の機能を有している。よって、モバイル機器４は、ＭＦＰ１０からＡＰ５１を経由して、インターネット５３に接続可能とされる。
【００１９】
ＭＦＰ１０の構成について説明する。ＭＦＰ１０は、ＣＰＵ１６、記憶部３２、無線通信制御回路１１、音声ＩＣ１４（ＣＯＤＥＣ）、モデム部１５、内蔵受話器１７、操作部２２、表示部２４、印刷部２６、スキャナ部２８、を備える。これらの構成要素は、互いに通信可能に接続されている。ＣＰＵ１６は、記憶部３２に記憶されているプログラム４２に従って、様々な処理を実行する。またＣＰＵ１６は、記憶部３２、無線通信制御回路１１、音声ＩＣ１４等に関する各種の制御を行う。
【００２０】
記憶部３２は、プログラム４２を記憶する。プログラム４２は、基本プログラム（図示省略）、ネットワーク構築プログラム４４等を含む。基本プログラムは、スリープタイマーを動作させるためのプログラム、印刷部２６に印刷を実行させるためのプログラム、スキャナ部２８にスキャンを実行させるためのプログラム等を含む。またネットワーク構築プログラム４４は、第１通信状態と第２通信状態とで切り替えを行うためのプログラムである。
【００２１】
記憶部３２は、ＲＡＭ、ＲＯＭ、フラッシュメモリ、ＨＤＤ（Hard Disk Drive）などが組み合わされて構成されている。記憶部３２は、設定記憶領域３９、ネットワークＩＤ記憶領域４０、ネットワーク設定記憶領域４１を備える。設定記憶領域３９は、初期カウント値Ｘなどの各種の設定を記憶する領域である。
【００２２】
ネットワークＩＤ記憶領域４０は、ＭＦＰネットワークＩＤ３００、第１子機ネットワークＩＤ３０１を記憶する。ＭＦＰネットワークＩＤ３００は、ネットワーク上でＭＦＰ１０を識別するための情報である。ＭＦＰネットワークＩＤ３００は、ＭＦＰ−ＭＡＣアドレスおよびＭＦＰ−ＩＰアドレスを含んでいる。また、第１子機ネットワークＩＤ３０１は、ネットワーク上で第１子機１を識別するための情報である。第１子機ネットワークＩＤ３０１は、第１子機ＭＡＣアドレスおよび第１子機ＩＰアドレスを含んでいる。ネットワーク設定記憶領域４１は、ＭＦＰ１０の識別子を記憶する領域である。ネットワーク設定記憶領域４１にＭＦＰネットワークＩＤ３００を記憶させると、ＭＦＰ１０は、通信システム５上の他の装置からＭＦＰ１０として認識される。一方、ネットワーク設定記憶領域４１に第１子機ネットワークＩＤ３０１を記憶させると、ＭＦＰ１０は、通信システム５上の他の装置から第１子機１として認識される。
【００２３】
無線通信制御回路１１は、ベースバンド処理部ＢＰ１、ＲＦ部１８、アンテナＡＮＴ１を備える。ベースバンド処理部ＢＰ１は、無線通信制御回路１１全体を制御する回路である。ＲＦ部１８は、アンテナＡＮＴ１との間で信号の送受信を行う回路である。音声ＩＣ１４（ＣＯＤＥＣ）は、データのエンコード（符号化）とデコード（復号）を行う。また音声ＩＣ１４は、モデム部１５または内蔵受話器１７の何れを電話回線網１００に接続するかを選択する。モデム部１５は、電話回線網１００との音声信号の送受信を制御する。操作部２２は、ユーザの入力操作を受け付ける複数のボタンを備える。表示部２４は、様々な情報を表示する。スキャナ部２８は、文書等を読取ってスキャンデータを生成する。印刷部２６は、外部装置（例えばＰＣ５２）から受信した印刷データや、スキャナ部２８によって生成されたスキャンデータを印刷媒体に印刷する。
【００２４】
第１子機１の構成について説明する。第１子機１は、ＣＰＵ７６、ベースバンド処理部ＢＰ２、ＲＦ部７８、スピーカ部７９、マイク部８０、記憶部８２、アンテナＡＮＴ２を備える。ＣＰＵ７６は、記憶部８２、ベースバンド処理部ＢＰ２等に関する各種の制御を行う。記憶部８２は、設定記憶領域８３、ネットワークＩＤ記憶領域８４、ネットワーク設定記憶領域８５、通信先装置設定領域８６を備える。設定記憶領域８３は、データ受信フラグ等の各種のパラメータを記憶する。ネットワークＩＤ記憶領域８４は、ＭＦＰネットワークＩＤ３００、第１子機ネットワークＩＤ３０１を記憶する。ネットワーク設定記憶領域８５は、第１子機１の識別子を記憶する領域である。ネットワーク設定記憶領域８５に第１子機ネットワークＩＤ３０１を記憶させると、第１子機１は、通信システム５上の他の装置から第１子機１として認識される。一方、ネットワーク設定記憶領域８５にＭＦＰネットワークＩＤ３００を記憶させると、第１子機１は、通信システム５上の他の装置からＭＦＰ１０として認識される。通信先装置設定領域８６は、第１子機１の通信先とされる機器のネットワークＩＤを記憶する領域である。第１子機１が通信システム５上のどの装置と通信を行うかは、通信先装置設定領域８６に書き込まれたネットワークＩＤによって決定される。スピーカ部７９は、無線通信制御回路１１から受信した音声データを出力する装置である。マイク部８０は、音声データを取得する装置である。その他の構成は、ＭＦＰ１０と同様であるため、ここでは詳細な説明は省略する。
【００２５】
通信システム５は、第１通信状態と第２通信状態との２つの通信状態を備えている。第１通信状態は、ＭＦＰ１０がＷＰＡＮ２０１を形成し、ルーティング装置となる状態である。一方、第２通信状態は、第１子機１がＷＰＡＮ２０１ａを形成し、ルーティング装置となる状態である。第１通信状態を、図７を用いて説明する。第１通信状態では、ＭＦＰネットワークＩＤ３００がＭＦＰ１０の識別子に使用される。よって、ＭＦＰ１０が通信システム５上においてＭＦＰ１０として認識される。また、第１子機ネットワークＩＤ３０１が第１子機の識別子に使用される。よって、第１子機１が通信システム５上において第１子機１として認識される。
【００２６】
そして第１通信状態では、無線通信制御回路１１によって、ＷＰＡＮ２０１およびＷＬＡＮ２０２が構築される。ＷＰＡＮ２０１には、複数の通信端末（第１子機１、モバイル機器４）が接続されている。ＷＰＡＮ２０１により、無線通信制御回路１１と第１子機１との間で、音声信号の無線通信２１１が行われる。また、無線通信制御回路１１とモバイル機器４との間で、データ信号の無線通信２１３が行われる。無線通信２１１ないし２１３は、同時に通信可能とされている。ＷＬＡＮ２０２には、ＡＰ５１が接続されている。ＷＬＡＮ２０２により、無線通信制御回路１１とＡＰ５１との間で、データ信号の無線通信２２１が行われる。すなわち第１通信状態では、１の無線通信制御回路１１によって、第１子機１による音声通信と、モバイル機器４によるデータ通信との２種類の通信を行うことが可能とされている。
【００２７】
ＷＰＡＮ２０１およびＷＬＡＮ２０２は、同時に使用可能とされている。同時に使用する方法の例としては、時分割多元接続（ＴＤＭＡ: Time Division Multiple Access）を用いる方法が挙げられる。ＴＤＭＡでは、伝送に用いる搬送周波数をタイムスロットと呼ばれる単位で分割して、同一周波数において複数の通信を可能にする。本願の例では、タイムスロットを、ＷＰＡＮ２０１およびＷＬＡＮ２０２に割り当てることで、多元接続が行われる。なお、この場合の「同時に使用可能」とは、ＷＰＡＮ２０１の通信とＷＬＡＮ２０２の通信が、同時期に並存して実行可能であるという意味である。ＷＰＡＮ２０１から送信されてくるパケットと、ＷＬＡＮ２０２から送信されてくるパケットとが、同一時間に受信可能であるという意味に限定されることはない。
【００２８】
無線通信制御回路１１を、ＷＰＡＮ２０１を構築する回路として機能させる方法としては、例えば、Wi-Fi Allianceが提唱する、Wi-Fi Directの機能を用いる方法が挙げられる。これにより、無線通信制御回路１１がWiFi Directのサーバの役割を行う。また、Intel（登録商標）が提唱する、My WiFi Technologyの機能を用いる方法が挙げられる。
【００２９】
またＷＰＡＮ２０１では、ＷＰＡＮ２０１での通信が可能な通信エリア内に、接続可能な無線通信機器が存在するか否かが監視される。そして、接続可能な無線通信機器が新たに検出されると、無線通信を用いて接続を行うことで、動的にネットワークが構築される。なお、第１子機１については、常にＷＰＡＮ２０１に接続される形態としてもよい。これにより、ユーザに動的なネットワークの存在を意識させることがない。よってユーザは、第１子機１を、通常のコードレス電話と同じ感覚で使用することが可能となる。
【００３０】
第２通信状態を、図８を用いて説明する。第２通信状態では、ＭＦＰ１０と第１子機１とで、識別子に使用されるネットワークＩＤが入れ換えられる。具体的には、第１子機ネットワークＩＤ３０１がＭＦＰ１０の識別子に使用される。また、ＭＦＰネットワークＩＤ３００が第１子機１の識別子に使用される。よって、ＭＦＰ１０が通信システム５上において第１子機１として認識され、第１子機１が通信システム５上においてＭＦＰ１０として認識される。
【００３１】
第１通信状態から第２通信状態へ切り替えられる場合を説明する。第２通信状態においても、モバイル機器４およびＡＰ５１は、ＭＦＰネットワークＩＤ３００を識別子に使用する装置とのデータ通信を維持する。しかし、第２通信状態では、ＭＦＰネットワークＩＤ３００を識別子に使用する装置は、ＭＦＰ１０ではなく、第１子機１である。よって、モバイル機器４のデータ通信先が、ＭＦＰ１０（無線通信２１３）から第１子機１（無線通信２１４）へ切り替えられる。また、ＡＰ５１のデータ通信先が、ＭＦＰ１０（無線通信２２１）から第１子機１（無線通信２２２）へ切り替えられる。
【００３２】
以上より、第２通信状態（図８）では、第１子機１によってＷＰＡＮ２０１ａが形成される。そして、第１子機１とモバイル機器４との間で、データ信号の無線通信２１４が行われる。また、第１子機１とＡＰ５１との間で、データ信号の無線通信２２２が行われる。モバイル機器４は、第１子機１およびＡＰ５１を介して、インターネット５３へアクセスすることが可能となる。よって、第２通信状態では、無線通信制御回路１１を使用せずにＷＰＡＮを形成することができるため、無線通信制御回路１１への電源供給を停止することが可能となる。
【００３３】
また、ＭＦＰ１０は、オフモードとスリープモードを備える。オフモードは、操作部２２の電源オン／オフボタンが押下されることで移行されるモードである。オフモードへ移行すると、必要最低限の機能のみが動作し、再びオン状態とされるまでその状態が保持される。よってオフモードでは、印刷処理やＦＡＸ受信を実行することができない。また、スリープモードは、ジョブを待機中にユーザが設定した待機時間が経過することで、自動的に移行されるモードである。スリープモードでは、表示部２４のバックライト等がオフされることで、省電力が図られる。またスリープモードでは、割り込み信号により復帰できる状態である為、印刷処理やＦＡＸ受信のジョブを受信すると、自動的に復帰してジョブを実行することができる。そして本願のＭＦＰ１０では、オフモードおよびスリープモードの両方において、無線通信制御回路１１への電源供給が停止される。
【００３４】
ＭＦＰ１０で行われる、スリープモードまたはオフモードへの移行動作を、図２のフローを用いて説明する。Ｓ６０において、ＣＰＵ１６は、電源停止指令が発行されたか否かを判断する。電源停止指令は、ＭＦＰ１０が、通常モードからスリープモードまたはオフモードへ移行することに応じて発行される指令である。スリープモードへの移行は、ＭＦＰ１０で所定時間の間ジョブが受け付けられないことに応じて行われる。またオフモードへの移行は、ユーザがＭＦＰ１０の電源オン／オフボタンをオフすることによって行われる。電源停止指令が発行されていない場合（Ｓ６０：ＮＯ）にはＳ６０へ戻り待機し、電源停止指令が発行された場合（Ｓ６０：ＹＥＳ）にはＳ６７へ進む。
【００３５】
Ｓ６７において、ＣＰＵ１６は、第１子機１に対して、ルーティング装置をＭＦＰ１０から第１子機１へ変更する旨の通信状態変更指示を通知する。そしてＳ７１へ進む。なお、通信状態変更指示は、例えば、無線通信制御回路１１からブロードキャストされるビーコンによって送信されるとしてもよい。
【００３６】
Ｓ７１において、ＣＰＵ１６は、第１子機１からルーティング装置の交替可の回答を受信したか否かを判断する。受信していない場合（Ｓ７１：ＮＯ）には、Ｓ７２へ進む。Ｓ７２においてＣＰＵ１６は、無線通信制御回路１１への電源供給が停止されてＷＰＡＮ２０１が使用不可となると共に、第１子機１によってＷＰＡＮ２０１ａを形成することも不可であるため、モバイル機器４がネットワークから切り離されてしまう旨の警告を、モバイル機器４に送信する。そしてフローを終了する。
【００３７】
一方、Ｓ７１において、ルーティング装置の交替可の回答を受信した場合（Ｓ７１：ＹＥＳ）には、Ｓ７３へ進む。Ｓ７３において、ＣＰＵ１６は、ルーティング装置となる子機の子機ネットワークＩＤをネットワークＩＤ記憶領域４０から読み出す。そして、ネットワーク設定記憶領域４１に記憶されているＭＦＰネットワークＩＤ３００を、読み出した子機ネットワークＩＤに書き換える。これにより、第１通信状態（図７）から第２通信状態（図８）へ切り替えられる。以上より、ＭＦＰ１０の無線通信制御回路１１への電源供給を停止することを条件として、第１通信状態から第２通信状態へ切り替えることが可能となる。
【００３８】
Ｓ７５において、ＣＰＵ１６は、第１子機１に対して、簡易的なテスト信号を送信する。テスト信号の一例としては、Ｐｉｎｇ信号が挙げられる。
【００３９】
Ｓ７７において、ＣＰＵ１６は、テスト信号に対する返信信号が、第１子機１から所定時間内に送信されてくるか否かを判断する。所定時間内に返信信号が返信されてこない場合（Ｓ７７：ＮＯ）には、第２通信状態での通信状態が正常ではなく、送受信テストがＮＧと判断され、Ｓ８１へ進む。Ｓ８１において、ＣＰＵ１６は、ネットワーク設定記憶領域４１に記憶されている子機ネットワークＩＤを、ＭＦＰネットワークＩＤ３００に戻す。よって、第２通信状態から第１通信状態へ戻される。Ｓ８３において、ＣＰＵ１６は、第１子機１に対して、通信状態変更指示を再度通知する。そしてＳ７１へ戻る。
【００４０】
一方、Ｓ７７において、所定時間内に返信信号が送信されてきた場合（Ｓ７７：ＹＥＳ）には、第２通信状態での通信が正常に行われていると判断される。よって、Ｓ８０へ進み、ＣＰＵ１６は、ＭＦＰ１０をスリープモードまたはオフモードとする。また、無線通信制御回路１１への電源供給を停止する。そしてフローが終了される。
【００４１】
ＭＦＰ１０で行われる、スリープモード中のデータ受信確認動作を、図４のフローを用いて説明する。図４のフローは、ＭＦＰ１０がスリープモードに移行することに応じて、開始される。Ｓ３１１において、ＣＰＵ１６は、スリープタイマーのカウント値ｔを、初期カウント値Ｘに設定する。初期カウント値Ｘは、予めユーザ等により設定されるとしてもよい。Ｓ３１３において、ＣＰＵ１６は、スリープタイマーをスタートする。よって、カウント値ｔが、初期カウント値Ｘからカウントダウン開始される。Ｓ３１５において、ＣＰＵ１６は、カウント値ｔが０に到達したか否かを判断する。カウント値ｔが０でない場合（Ｓ３１５：ＮＯ）には、ＣＰＵ１６はスリープ状態を維持（Ｓ３１７）した上でＳ３１５へ戻る。一方、カウント値ｔが０に到達した場合（Ｓ３１５：ＹＥＳ）には、Ｓ３１９へ進む。
【００４２】
Ｓ３１９において、ＣＰＵ１６は、無線通信制御回路１１への電源供給を再開することで、無線通信制御回路１１のみをスリープモードから復帰させる。Ｓ３２１においてＣＰＵ１６は、無線通信制御回路１１を用いて、データ受信フラグの確認要求を第１子機１へ送信する。データ受信フラグの確認要求は、データ受信フラグをＭＦＰ１０へ送信する旨の要求である。データ受信フラグは、預かりデータが第１子機１の記憶部８２に記憶されているか否かを表す情報である。データ受信フラグの「１」は預かりデータが記憶されていることを表し、「０」は預かりデータが記憶されていないことを表している。
【００４３】
Ｓ３２３において、ＣＰＵ１６は、復帰トリガを発行するか否かを判断する。復帰トリガは、無線通信制御回路１１への電源供給を再開する旨の電源供給再開条件が成立した場合に発行される信号である。電源供給再開条件が成立する例としては、第１子機１から送信されてきたデータ受信フラグが「１」であり、第１子機１に預かりデータが記憶されていることが検出された場合が挙げられる。また、ＭＦＰ１０に電話回線網１００から着信があった場合が挙げられる。また、ＭＦＰ１０の電源オン／オフボタンがオンにされ、起動指令が入力された場合が挙げられる。復帰トリガを発行しない場合（Ｓ３２３：ＮＯ）にはＳ３２５へ進み、ＣＰＵ１６は無線通信制御回路１１への電源供給を停止し、再度スリープモードへ移行させる。そしてＳ３１１へ戻る。一方、復帰トリガを発行する場合（Ｓ３２３：ＹＥＳ）にはＳ３２７へ進み、ＣＰＵ１６は、復帰トリガを発行する。そしてフローを終了する。
【００４４】
ＭＦＰ１０で行われる、スリープモードまたはオフモードから通常モードへの移行動作を、図３のフローを用いて説明する。Ｓ１２４において、ＣＰＵ１６は、復帰トリガが発行されたか否かを判断する。復帰トリガが発行されていない場合（Ｓ１２４：ＮＯ）にはＳ１２４へ戻り待機し、復帰トリガが発行された場合（Ｓ１２４：ＹＥＳ）にはＳ１２５へ進む。Ｓ１２５において、ＣＰＵ１６は、スリープモードまたはオフモードからＭＦＰ１０を復帰させる。また、無線通信制御回路１１への電源供給を再開する。そしてＣＰＵ１６は、復帰連絡信号を第１子機１へ送信する。 
【００４５】
Ｓ１２７において、ＣＰＵ１６は、第１子機１に対し、ルーティング装置をＭＦＰ１０へ戻す旨の通信状態復帰指示を通知する。通信状態復帰指示は、例えば、無線通信制御回路１１からブロードキャストされるビーコンによって送信されるとしてもよい。これにより、無線通信制御回路１１への電源供給が再開されることを条件として、ルーティング装置を第１子機１からＭＦＰ１０へ戻すことが可能となる。
【００４６】
Ｓ１２９において、ＣＰＵ１６は、第１子機１からルーティング装置の交替可の回答を受信したか否かを判断する。受信していない場合（Ｓ１２９：ＮＯ）にはＳ１２９へ戻り待機し、受信した場合（Ｓ１２９：ＹＥＳ）にはＳ１３１へ進む。Ｓ１３１において、ＣＰＵ１６は、ＭＦＰネットワークＩＤ３００をネットワークＩＤ記憶領域４０から読み出す。そして、ネットワーク設定記憶領域４１に記憶されている子機ネットワークＩＤを、ＭＦＰネットワークＩＤ３００に戻す。
【００４７】
Ｓ１３３において、ＣＰＵ１６は、第１子機１に対してテスト信号を送信する。Ｓ１３５において、ＣＰＵ１６は、第１子機１から所定時間内に返信信号が送信されてくるか否かを判断する。送信されてこない場合（Ｓ１３５：ＮＯ）にはＳ１３７へ進む。Ｓ１３７において、ＣＰＵ１６は、ネットワーク設定記憶領域４１にＭＦＰネットワークＩＤ３００を再度書き込む。Ｓ１３９において、ＣＰＵ１６は、第１子機１に対し、通信状態復帰指示を再通知する。そしてＳ１２９へ戻る。
【００４８】
一方、Ｓ１３５において、所定時間内に返信信号が送信されてきた場合（Ｓ１３５：ＹＥＳ）には、Ｓ１４０へ進む。Ｓ１４０においてＣＰＵ１６は、復帰トリガが、電話回線網１００からの着信に応じて発行されたか否かを判断する。着信に応じて発行されたものではない場合（Ｓ１４０：ＮＯ）にはＳ１４１をスキップしてＳ１４３へ進み、着信に応じて発行された場合（Ｓ１４０：ＹＥＳ）にはＳ１４１へ進む。Ｓ１４１においてＣＰＵ１６は、第１子機１を鳴動させる処理、第１子機１を用いた通話処理、通話終了処理の各処理を実行する。
【００４９】
Ｓ１４３において、ＣＰＵ１６は、データ受信フラグが「１」とされているか否かを判断する。データ受信フラグが「０」である場合（Ｓ１４３：ＮＯ）にはフローを終了し、データ受信フラグが「１」である場合（Ｓ１４３：ＹＥＳ）にはＳ１４５へ進む。Ｓ１４５において、ＣＰＵ１６は、ルーティング装置とされていた第１子機１に対して、預かりデータ転送要求を送信する。Ｓ１４７において、ＣＰＵ１６は、ルーティング装置とされていた第１子機１からデータ転送可の回答を入手することに応じて、預かりデータを第１子機１から受信する。以上により、ＭＦＰ１０でのフローが終了する。
【００５０】
第１子機１で行われる、第１通信状態と第２通信状態との切り替え動作を、図５および図６のフローを用いて説明する。Ｓ９５において、ＣＰＵ７６は、ＭＦＰ１０から通信状態変更指示を受信したか否かを判断する。受信していない場合（Ｓ９５：ＮＯ）にはＳ９５へ戻り待機し、受信した場合（Ｓ９５：ＹＥＳ）にはＳ９９へ進む。
【００５１】
Ｓ９９において、ＣＰＵ７６は、ＭＦＰ１０から第１子機１へのルーティング装置の交替が可能である旨を、ＭＦＰ１０へ送信する。Ｓ１０１において、ＣＰＵ７６は、ネットワークＩＤ記憶領域８４から読み出したＭＦＰネットワークＩＤ３００を、ネットワーク設定記憶領域８５に記憶させる。よって第１子機１の識別子が、ＭＦＰネットワークＩＤ３００に変更される。
【００５２】
Ｓ１０３において、ＣＰＵ７６は、所定時間内にテスト信号をＭＦＰ１０から受信したか否かを判断する。受信していない場合（Ｓ１０３：ＮＯ）にはＳ１０５へ進む。Ｓ１０５においてＣＰＵ７６は、第１子機１の識別子を、第１子機ネットワークＩＤに戻す。また、Ｓ１０５では、テスト信号に対する返信信号が、ＭＦＰ１０に返信されない。よって、テスト信号を受信していない旨をＭＦＰ１０へ報知することができる。Ｓ１０７において、ＣＰＵ７６は、ＭＦＰ１０から通信状態変更指示の再通知を受信すると、Ｓ１０１へ戻る。
【００５３】
一方、Ｓ１０３において、所定時間内にテスト信号を受信した場合（Ｓ１０３：ＹＥＳ）には、第２通信状態への移行が正常に行われたと判断され、Ｓ１０９へ進む。Ｓ１０９において、ＣＰＵ７６は、返信信号をＭＦＰ１０へ送信する。 
【００５４】
Ｓ１１１において、ＣＰＵ７６は、モバイル機器４からデータ送信要求を受信したか否かを判断する。データ送信要求は、印刷データ等の各種のデータを、モバイル機器４から送信してよいか否かを問い合わせる動作である。第２通信状態では、第１子機１の識別子にＭＦＰネットワークＩＤ３００が使用されている。よって、モバイル機器４がＭＦＰ１０へデータ送信要求を行ったと認識していても、実際には第１子機１にデータ送信要求が行われることになる。また、モバイル機器４から送出されるデータの例としては、印刷部２６で印刷実行するための印刷データなどが挙げられる。データ送信要求を受信していない場合（Ｓ１１１：ＮＯ）にはＳ１２１へ進み、データ送信要求を受信した場合（Ｓ１１１：ＹＥＳ）にはＳ１１３へ進む。
【００５５】
Ｓ１１３において、ＣＰＵ７６は、モバイル機器４に対してデータ送信の実行を許可する旨を送信する。Ｓ１１５において、ＣＰＵ７６は、モバイル機器４から無線通信２１４を用いて送信されてくるデータを受信し、預かりデータとして記憶部８２に記憶する。これにより、第２通信状態の期間において、モバイル機器４からＭＦＰ１０に向けて送信された送信データを、ＭＦＰ１０に代理して第１子機１で受信することができる。
【００５６】
Ｓ１１６において、ＣＰＵ７６は、設定記憶領域８３に記憶されているデータ受信フラグを「１」にする。Ｓ１１７において、ＣＰＵ７６は、データ受信が完了すると、モバイル機器４に対してＡＣＫ信号を返信する。Ｓ１１８において、ＣＰＵ７６は、モバイル機器４からの更なるデータ送信要求を受信したか否かを判断する。受信した場合（Ｓ１１８：ＹＥＳ）にはＳ１１３へ戻り、受信していない場合（Ｓ１１８：ＮＯ）にはＳ１１９へ進む。Ｓ１１９において、ＣＰＵ７６は、ＭＦＰ１０からデータ受信フラグの確認要求を受信したか否かを判断する。受信していない場合（Ｓ１１９：ＮＯ）にはＳ１２０をスキップしてＳ１２１へ進む。一方、受信した場合（Ｓ１１９：ＹＥＳ）にはＳ１２０へ進み、ＣＰＵ７６は、ＭＦＰ１０へ対してデータ受信フラグを送信する。Ｓ１２１において、ＣＰＵ７６は、ＭＦＰ１０から復帰連絡信号を受信したか否かを判断する。受信していない場合（Ｓ１２１：ＮＯ）にはＳ１１８へ戻り、受信した場合（Ｓ１２１：ＹＥＳ）にはＳ１５７（図６）へ進む。
【００５７】
Ｓ１５７において、ＣＰＵ７６は、ＭＦＰ１０から通信状態復帰指示を受信したか否かを判断する。受信していない場合（Ｓ１５７：ＮＯ）にはＳ１５７へ戻り待機し、受信した場合（Ｓ１５７：ＹＥＳ）にはＳ１５８へ進む。Ｓ１５８において、ＣＰＵ７６は、第１子機１からＭＦＰ１０へのルーティング装置の交替が可能である旨を、ＭＦＰ１０へ送信する。Ｓ１５９において、ＣＰＵ７６は、ネットワークＩＤ記憶領域８４から読み出した第１子機ネットワークＩＤを、ネットワーク設定記憶領域８５に記憶する。よって第１子機１の識別子が、第１子機ネットワークＩＤに戻される。
【００５８】
Ｓ１６１において、ＣＰＵ７６は、所定時間内にテスト信号をＭＦＰ１０から受信したか否かを判断する。受信していない場合（Ｓ１６１：ＮＯ）にはＳ１６３へ進む。Ｓ１６３において、ＣＰＵ７６は、ネットワーク設定記憶領域８５に記憶されている第１子機ネットワークＩＤを、ＭＦＰネットワークＩＤ３００に変更する。よって第１子機１の識別子が、ＭＦＰネットワークＩＤ３００に変更される。Ｓ１６５において、ＣＰＵ７６は、ＭＦＰ１０から通信状態復帰指示の再通知を受信すると、Ｓ１５９へ戻る。
【００５９】
一方、Ｓ１６１において、所定時間内にテスト信号を受信した場合（Ｓ１６１：ＹＥＳ）には、第１通信状態への移行が正常に行われたと判断され、Ｓ１６７へ進む。Ｓ１６７において、ＣＰＵ７６は、返信信号をＭＦＰ１０へ送信する。
【００６０】
Ｓ１６９において、ＣＰＵ７６は、ＭＦＰ１０から預かりデータ転送要求を受信したか否かを判断する。受信していない場合（Ｓ１６９：ＮＯ）にはフローを終了し、受信した場合（Ｓ１６９：ＹＥＳ）にはＳ１７１へ進む。Ｓ１７１において、ＣＰＵ７６は、記憶部８２に保存されている預かりデータをＭＦＰ１０へ送信する。Ｓ１７３において、ＣＰＵ７６は、設定記憶領域８３に記憶されているデータ受信フラグを「０」にする。そしてフローを終了する。
【００６１】
本実施形態に係る通信システム５の動作の具体例を、図９および図１０のシーケンス図を用いて説明する。例として、ＭＦＰ１０がスリープモードに移行する場合を説明する。また、スリープモードの期間中に、モバイル機器４からデータが送信されてくる場合を説明する。
【００６２】
ＭＦＰ１０で所定時間の間ジョブが受け付けられないことに応じて、スリープモードへの移行が開始され、電源停止指令が発行される（Ｓ６０）。第１子機１に対して、ルーティング装置をＭＦＰ１０から第１子機１へ変更する旨の通信状態変更指示が送信される（Ｓ６７）。
【００６３】
第１子機１は、通信状態変更指示を受信すると（Ｓ９５：ＹＥＳ）、ルーティング装置の交替が可能である旨をＭＦＰ１０へ送信する（Ｓ９９）。また第１子機１は、自身の識別子を、第１子機ネットワークＩＤ３０１からＭＦＰネットワークＩＤ３００へ変更する（Ｓ１０１）。
【００６４】
ＭＦＰ１０は、第１子機１からルーティング装置の交替可の回答を受信すると（Ｓ７１：ＹＥＳ）、ＭＦＰ１０の識別子をＭＦＰネットワークＩＤ３００から第１子機ネットワークＩＤ３０１へ変更する（Ｓ７３）。これにより、第１通信状態（図７）から第２通信状態（図８）へ切り替えられる。
【００６５】
ＭＦＰ１０は、第１子機１に対して、テスト信号を送信する（Ｓ７５）。第１子機１は、所定時間内にテスト信号を受信すると（Ｓ１０３：ＹＥＳ）、返信信号をＭＦＰ１０へ送信する（Ｓ１０９）。ＭＦＰ１０は、第１子機１から所定時間内に返信信号が返信されてくると（Ｓ７７：ＹＥＳ）、無線通信制御回路１１への電源供給を停止して、スリープモードへ移行する（Ｓ８０）。
【００６６】
モバイル機器４から第１子機１に対してデータ送信要求が行われると（Ｓ１１１：ＹＥＳ）、第１子機１はモバイル機器４に対してデータ送信の実行を許可する旨を送信する（Ｓ１１３）。そして第１子機１は、モバイル機器４から送信されてくるデータを受信し、預かりデータとして保持する（Ｓ１１５）。また第１子機１は、データ受信フラグを「１」にすると共に（Ｓ１１６）、モバイル機器４に対してＡＣＫ信号を返信する（Ｓ１１７）。
【００６７】
ＭＦＰ１０は、スリープモード中において、スリープタイマーのカウント値ｔが０に到達する（Ｓ３１５：Ｙ）たびに、無線通信制御回路１１のみをスリープモードから復帰させ（Ｓ３１９）、第１子機１のデータ受信フラグの値を確認する（Ｓ３２１）。ＭＦＰ１０は、データ受信フラグの「１」を検出すると（Ｓ３２３：Ｙ）、復帰トリガを発行する（Ｓ３２７）。
【００６８】
ＭＦＰ１０は、復帰トリガが発行されると（Ｓ１２４：ＹＥＳ）、スリープモードから復帰し、復帰連絡信号を第１子機１へ送信する（Ｓ１２５）。また、ＭＦＰ１０は、第１子機１に対し、通信状態復帰指示を送信する（Ｓ１２７）。
【００６９】
第１子機１は、復帰連絡信号および通信状態復帰指示を受信すると（Ｓ１２１：ＹＥＳ、Ｓ１５７：ＹＥＳ）、ルーティング装置の交替が可能である旨をＭＦＰ１０へ送信する（Ｓ１５８）。また第１子機１は、自己の識別子を、ＭＦＰネットワークＩＤ３００から第１子機ネットワークＩＤ３０１へ戻す（Ｓ１５９）。
【００７０】
ＭＦＰ１０は、第１子機１からルーティング装置の交替可の回答を受信すると（Ｓ１２９：Ｙ）、ＭＦＰ１０の識別子を第１子機ネットワークＩＤ３０１からＭＦＰネットワークＩＤ３００へ戻す（Ｓ１３１）。これにより、第２通信状態（図８）から第１通信状態（図７）へ切り替えられる。
【００７１】
ＭＦＰ１０は、第１子機１に対して、テスト信号を送信する（Ｓ１３３）。第１子機１は、所定時間内にテスト信号を受信すると（Ｓ１６１：ＹＥＳ）、返信信号をＭＦＰ１０へ送信する（Ｓ１６７）。ＭＦＰ１０は、第１子機１から所定時間内に返信信号が返信されてくると（Ｓ１３５：ＹＥＳ）、復帰トリガが電話回線網１００からの着信に応じて発行された場合ではないため（Ｓ１４０：ＮＯ）、データ受信フラグを確認する（Ｓ１４３）。ＭＦＰ１０は、データ受信フラグが「１」であると判断すると（Ｓ１４３：ＹＥＳ）、第１子機１に対して預かりデータ転送要求を送信する（Ｓ１４５）。第１子機１は、預かりデータ転送要求を受信すると（Ｓ１６９：ＹＥＳ）、預かりデータをＭＦＰ１０へ送信し（Ｓ１７１）、データ受信フラグを「０」にする（Ｓ１７３）。ＭＦＰ１０は、預かりデータを子機から受信する（Ｓ１４７）。以上により、通信システム５の動作が終了する。
【００７２】
本願に係る通信システム５の効果を説明する。本願の通信システム５では、ＭＦＰ１０がオフモードまたはスリープモードへ移行することに応じて、無線通信制御回路１１への電源供給が停止され、通信状態が第１通信状態から第２通信状態へ移行する。第２通信状態へ移行すると、モバイル機器４の通信先は、ＭＦＰ１０から第１子機１へ切り替えられる。そしてモバイル機器４は、第１子機１およびＡＰ５１を介して、インターネット５３との接続を維持することができる。これにより、モバイル機器４の通信状態を維持したまま、ＭＦＰ１０の無線通信制御回路１１への電源供給を停止することができる。よって、オフモードおよびスリープモードにおけるＭＦＰ１０の消費電力を、十分に抑制することが可能となる。
【００７３】
また本願の通信システム５では、第２通信状態の期間中において、第１子機１は、モバイル機器４から送信されてきた送信データを、ＭＦＰ１０に代理して受信して保持する。そして、通信状態が第１通信状態へ戻されることに応じて、保持していたデータをＭＦＰ１０へ送信する。これにより、モバイル機器４から送信された送信データが何れの装置でも受信されずに送信エラーとなることで、無駄な再送の繰り返し処理が実行されてしまう事態を防止することができる。
【００７４】
また、本願のＭＦＰ１０は、スリープモードの期間中において、モバイル機器４から受信した預かりデータを第１子機１が保持しているか否かを、定期的に監視することが出来る。そして、預かりデータを保持していることを検出した場合には、第１子機１からＭＦＰ１０へ預かりデータを受け渡し、ＭＦＰ１０において預かりデータを用いて印刷等のジョブを実行することができる。これにより、大量の預かりデータが第１子機１に保存されることで、記憶部８２の容量がオーバーしてしまう事態を防止できる。また、モバイル機器４からジョブのデータが送信されてから、ＭＦＰ１０でジョブが実行されるまでの時間を短縮化することができるため、ジョブの実行をユーザに長時間待たせてしまうことを防止できる。
【００７５】
また、本願の通信システム５では、第１通信状態と第２通信状態との間の切り替え時に、モバイル機器４に対して、「通信先の交替が発生すること」、「新しい通信先」、「通信先の交替が発生するタイミング」等の情報を報知する必要がない。よって、通信状態の切り替えのための特別な処理をモバイル機器４に行なわせることがないため、切り替え制御を簡素化することができる。これにより、切り替え動作の時間が長くなることや、切り替え処理の負担が増大することを防止することが可能となる。
【００７６】
また本願の通信システム５では、第２通信状態への移行ができない場合を、テスト信号により検出することができる。そして第２通信状態での通信に障害が発生した場合には、第１通信状態へ戻すというフェールセーフ設計を採用している。これにより、通信システム５の信頼性を確保することができる。
【００７７】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。上記の実施例の変形例を以下に列挙する。
【００７８】
また、Ｓ１１１（図５）において、データ送信要求を送信してくる装置は、モバイル機器４に限られない。通信システム５に接続されている装置であれば、何れの装置からでもデータ送信要求を送信することが可能である。例えば、ＰＣ５２からデータ送信要求が送信されるとしてもよい。
【００７９】
ＭＦＰ１０のネットワークＩＤ記憶領域４０や、第１子機１のネットワークＩＤ記憶領域８４には、ＭＦＰネットワークＩＤ３００、第１子機ネットワークＩＤ３０１が記憶される。これらの情報を記憶するタイミングは、ＭＦＰ１０と第１子機１がセットで工場出荷されるタイミングであってもよい。また、ユーザが子機を追加購入して通信システム５に接続したタイミングであってもよい。
【００８０】
なお、ＭＦＰ１０の構成を、通信部と多機能部とに物理的に分離した構成としてもよい。通信部は、ＭＦＰ１０から、電話回線網１００を使用した通信制御を行う部分を抜き出した構成を有する。また多機能部は、通信部以外のスキャナ機能や印刷機能を有する部分である。そして、通信部によってＷＰＡＮ２０１およびＷＬＡＮ２０２が形成されるとしてもよい。また、ＷＬＡＮ２０２を用いて通信部と多機能部とが通信を行うとしてもよい。これにより、通信部と多機能部とによって、分散構成多機能周辺装置が形成される。よって、電話回線網１００のコネクタ部に体積の大きいＭＦＰ１０を直接に接続する必要がないため、レイアウト性を高めることができ、ユーザの利便性を高めることができる。
【００８１】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００８２】
なお、電話回線網１００は通信回線の一例である。ＭＦＰ１０は通信装置の一例である。第１子機１は第１音声通話機器の一例である。モバイル機器４は外部装置の一例である。無線通信制御回路１１は無線通信部の一例である。ＭＦＰネットワークＩＤ３００は通信装置ネットワークＩＤの一例である。第１子機ネットワークＩＤ３０１は第１音声通話機器ネットワークＩＤの一例である。記憶部３２は通信装置記憶部の一例である。記憶部８２は第１音声通話機器記憶部の一例である。ＣＰＵ１６は通信装置制御部の一例である。ＣＰＵ７６は第１音声通話機器制御部の一例である。ＡＰ５１は電波中継機器の一例である。
【００８３】
また、Ｓ７３、Ｓ１３１、Ｓ６７、Ｓ７５、Ｓ８１、Ｓ６０、Ｓ１２４、Ｓ３１９、Ｓ３２１、Ｓ１４７を実行する制御部は通信装置制御部の一例である。Ｓ１０１、Ｓ１５９、Ｓ３７、Ｓ１１５、Ｓ１７１を実行する制御部は音声通話機器制御部の一例である。
【符号の説明】
【００８４】
１：第１子機、４：モバイル機器、５：通信システム、１０：多機能機、１１：無線通信制御回路、３００：ＭＦＰネットワークＩＤ、３０１：第１子機ネットワークＩＤ、３２および８２：記憶部、１６および７６：ＣＰＵ、５１：ＡＰ
【図１】
2011217064.tif 000003
【図２】
2011217064.tif 000004
【図３】
2011217064.tif 000005
【図４】
2011217064.tif 000006
【図５】
2011217064.tif 000007
【図６】
2011217064.tif 000008
【図７】
2011217064.tif 000009
【図８】
2011217064.tif 000010
【図９】
2011217064.tif 000011
【図１０】
2011217064.tif 000012